(57)【要約】【課題】別々の作業者の作業によって読み取られた情報を合わせ、これを加工したものを表示する。【解決手段】表示装置のＣＰＵは、アンテナ部に供給された電力を用いて記憶性表示パネルの表示素子を駆動し、メモリに記憶されている情報に応じた画像を記憶性表示パネルに表示させる。ＣＰＵは、他の表示装置のアンテナ部と自装置のアンテナ部とが重ねられた状態で、他の表示装置のメモリに記憶されている情報をアンテナ部に読み取らせる。そして、ＣＰＵは、アンテナ部に供給された電力を用いて、読み取られた情報とメモリに記憶されている情報とを加工した加工データを生成し、メモリに記憶させる。【選択図】図１
2009199437.tif 000002
【特許請求の範囲】
【請求項１】
情報を記録した記録媒体から読み取られた当該情報を記憶する記憶手段と、
電力が供給され、当該電力を用いて自装置以外の他の表示装置と通信を行う通信手段と、
複数の表示素子を有し、当該表示素子が駆動されて画像を表示するまでの期間においては電力が用いられ、当該画像が表示された後は、電力が用いられなくても当該画像を表示し続ける表示手段と、
前記通信手段に供給された電力を用いて前記表示手段の表示素子を駆動し、前記記憶手段に記憶されている情報に応じた画像を当該表示手段に表示させる表示制御手段と、
前記他の表示装置の通信手段と自装置の前記通信手段とが重ねられた状態で、当該他の表示装置の記憶手段に記憶されている情報を前記通信手段に読み取らせる読取制御手段と、
前記通信手段に供給された電力を用いて、前記読取制御手段によって読み取られた情報と前記記憶手段に記憶されている情報とを加工した加工データを生成し、前記記憶手段に記憶させる加工データ生成手段と
を備えることを特徴とする表示装置。
【請求項２】
前記通信手段は、電磁誘導による電力供給を受けるとともに無線通信を行う
ことを特徴とする請求項１記載の表示装置。
【請求項３】
前記加工データ生成手段は、前記読取制御手段によって読み取られた情報と前記記憶手段に記憶されている情報とを集計し、その集計結果を加工データとして生成する
ことを特徴とする請求項１又は２に記載の表示装置。
【請求項４】
前記情報を加工する加工方法と、その加工方法によって加工された加工データの表示先となる表示装置を識別する識別情報とを対応付けて記憶する加工方法情報記憶手段を備え、
前記加工データ生成手段は、前記読取制御手段によって読み取られた情報と前記記憶手段に記憶されている情報とを、前記加工方法情報記憶手段に記憶されている加工方法で加工した加工データを生成し、
さらに、前記加工データ生成手段によって生成された加工データを、当該加工データの加工方法と対応付けて前記加工方法情報記憶手段に記憶されている識別情報によって識別される前記他の表示装置に対して、前記通信手段から送信させる送信制御手段とを備える
ことを特徴とする請求項１から３のいずれかに記載の表示装置。
【請求項５】
読取装置と、複数の表示装置とを備え、
前記読取装置は、
情報を記録した記録媒体から当該情報を読み取る読取手段と、
前記表示装置に電力を供給するとともに、当該表示装置と通信を行う第１の通信手段と、
前記読取手段によって読み取られた情報を前記第１の通信手段によって前記表示装置に送信させる第１の送信制御手段とを備え、
各々の前記表示装置は、
電力が供給され、当該電力を用いて前記読取装置又は自装置以外の他の表示装置と通信を行う第２の通信手段と、
前記読取装置の第１の通信手段から送信されてくる前記情報が前記第２の通信手段によって受信されると、前記第２の通信手段に供給された電力を用いて、受信された当該情報を記憶する記憶手段と、
複数の表示素子を有し、当該表示素子が駆動されて画像を表示するまでの期間においては電力が用いられ、当該画像が表示された後は、電力が用いられなくても当該画像を表示し続ける表示手段と、
前記第２の通信手段に供給された電力を用いて前記表示手段の表示素子を駆動し、前記記憶手段に記憶されている情報に応じた画像を当該表示手段に表示させる表示制御手段と、
前記他の表示装置の第２の通信手段と自装置の前記第２の通信手段とが重ねられた状態で、当該他の表示装置の記憶手段に記憶されている情報を前記第２の通信手段に読み取らせる読取制御手段と、
前記第２の通信手段に供給された電力を用いて、前記読取制御手段によって読み取られた情報と前記記憶手段に記憶されている情報とを加工した加工データを生成し、前記記憶手段に記憶させる加工データ生成手段と、
前記他の表示装置の第２の通信手段と自装置の前記第２の通信手段とが重ねられた状態で、前記加工データ生成手段によって生成された加工データを自装置の前記第２の通信手段から前記他の表示装置の第２の通信手段へと送信させる送信制御手段と
を備えることを特徴とする表示システム。
【請求項６】
前記表示装置が置かれる載置面と、前記載置面に複数の前記表示装置が置かれた状態で、各々の前記表示装置に電力を供給する電力供給手段とを有する電力供給装置をさらに備え、
各々の前記表示装置の第２の通信手段は、前記電力供給装置の電力供給手段から電力の供給を受ける
ことを特徴とする請求項５記載の表示システム。
【発明の詳細な説明】
【技術分野】
【０００１】
本発明は、タグなどの記録媒体から読み取られた情報を加工して表示する技術に関する。
【背景技術】
【０００２】
ＲＦＩＤ（Radio Frequency IDentification）などを用いて、物品管理を行う技術が知られている。例えば、特許文献１や２では、ＲＦ（Radio Frequency）タグやバーコードなどのタグを会社の備品などの資産に貼っておき、タグ読取装置によって各タグから読み取られた情報に基づいて、資産の管理状況を表す資産管理情報を更新する技術が提案されている。
【特許文献１】特開２００５−２０２５０２号公報
【特許文献２】特開２００７−２１９９７９号公報
【発明の開示】
【発明が解決しようとする課題】
【０００３】
ところで、棚卸などの物品管理作業においては、複数の人数で手分けして資産の有無をチェックする場合がある。この場合、各作業者は、各資産に貼り付けられたタグをタグ読取装置に読み取らせていくことになるが、他の人がどの資産をチェックしたかがわからないため、重複してチェックをしてしまったり、チェック抜けが発生してしまったりすることがある。そこで、各々のタグ読取装置によって読み取られた情報を集計して表示するといったことができれば、非常に便利である。
本発明は、このような背景に鑑みてなされたものであり、別々の作業者の作業によって読み取られた情報を合わせ、これを加工したものを表示することを目的とする。
【課題を解決するための手段】
【０００４】
本発明は、情報を記録した記録媒体から読み取られた当該情報を記憶する記憶手段と、電力が供給され、当該電力を用いて自装置以外の他の表示装置と通信を行う通信手段と、複数の表示素子を有し、当該表示素子が駆動されて画像を表示するまでの期間においては電力が用いられ、当該画像が表示された後は、電力が用いられなくても当該画像を表示し続ける表示手段と、前記通信手段に供給された電力を用いて前記表示手段の表示素子を駆動し、前記記憶手段に記憶されている情報に応じた画像を当該表示手段に表示させる表示制御手段と、前記他の表示装置の通信手段と自装置の前記通信手段とが重ねられた状態で、当該他の表示装置の記憶手段に記憶されている情報を前記通信手段に読み取らせる読取制御手段と、前記通信手段に供給された電力を用いて、前記読取制御手段によって読み取られた情報と前記記憶手段に記憶されている情報とを加工した加工データを生成し、前記記憶手段に記憶させる加工データ生成手段とを備えることを特徴とする表示装置を提供する。これにより、別々の作業者の作業によって読み取られた情報を合わせ、これを加工したものを表示することができる。
【０００５】
また、本発明は、読取装置と、複数の表示装置とを備え、前記読取装置は、情報を記録した記録媒体から当該情報を読み取る読取手段と、前記表示装置に電力を供給するとともに、当該表示装置と通信を行う第１の通信手段と、前記読取手段によって読み取られた情報を前記第１の通信手段によって前記表示装置に送信させる第１の送信制御手段とを備え、各々の前記表示装置は、電力が供給され、当該電力を用いて前記読取装置又は自装置以外の他の表示装置と通信を行う第２の通信手段と、前記読取装置の第１の通信手段から送信されてくる前記情報が前記第２の通信手段によって受信されると、前記第２の通信手段に供給された電力を用いて、受信された当該情報を記憶する記憶手段と、複数の表示素子を有し、当該表示素子が駆動されて画像を表示するまでの期間においては電力が用いられ、当該画像が表示された後は、電力が用いられなくても当該画像を表示し続ける表示手段と、前記第２の通信手段に供給された電力を用いて前記表示手段の表示素子を駆動し、前記記憶手段に記憶されている情報に応じた画像を当該表示手段に表示させる表示制御手段と、前記他の表示装置の第２の通信手段と自装置の前記第２の通信手段とが重ねられた状態で、当該他の表示装置の記憶手段に記憶されている情報を前記第２の通信手段に読み取らせる読取制御手段と、前記第２の通信手段に供給された電力を用いて、前記読取制御手段によって読み取られた情報と前記記憶手段に記憶されている情報とを加工した加工データを生成し、前記記憶手段に記憶させる加工データ生成手段と、前記他の表示装置の第２の通信手段と自装置の前記第２の通信手段とが重ねられた状態で、前記加工データ生成手段によって生成された加工データを自装置の前記第２の通信手段から前記他の表示装置の第２の通信手段へと送信させる送信制御手段とを備えることを特徴とする表示システムを提供する。これにより、別々の作業者の作業によって読み取られた情報を合わせ、これを加工したものを表示することができる。
【発明を実施するための最良の形態】
【０００６】
本発明の表示装置及び表示システムの実施形態の１つである棚卸システムについて、図面を参照しながら説明する。
［構成］
（棚卸システムの構成）
図１は、本実施形態に係る棚卸システム１の構成を示す図である。この棚卸システム１は、棚卸作業に用いる棚卸リスト情報を表示する表示システムとしての役割を担う。図に示すように、この棚卸システム１は、管理装置１０と、タグ読取装置２０Ａ、２０Ｂ、２０Ｃと、表示装置３０Ａ、３０Ｂ、３０Ｃとを備えている。表示装置３０Ａ〜３０Ｃは、小型且つ軽量に構成されたいわゆる電子ペーパーである。なお、以下の説明において、タグ読取装置２０Ａ〜２０Ｃを特に区別する必要がない場合には、これらを総称して「タグ読取装置２０」という。同様にして、表示装置３０Ａ〜３０Ｃを特に区別する必要がない場合には、これらを総称して「表示装置３０」という。棚卸作業を行う作業者は、タグ読取装置２０と表示装置３０とを１台ずつ持って棚卸作業を行う。ここでは、作業者Ａがタグ読取装置２０Ａ及び表示装置３０Ａを使用し、作業者Ｂがタグ読取装置２０Ｂ及び表示装置３０Ｂを使用し、作業者Ｃがタグ読取装置２０Ｃ及び表示装置３０Ｃを使用するものとする。
【０００７】
（管理装置の構成）
図２は、図１に示した管理装置１０の構成を示す図である。同図に示すように、管理装置１０は、ＣＰＵ（Central Processing Unit）１１と、メモリ１２と、記憶部１３と、操作部１４と、表示部１５と、リーダライタ装置１６と、電源部１７とを備えている。ＣＰＵ１１は、メモリ１２又は記憶部１３に記憶されているプログラムに従って各種の処理を実行する。メモリ１２は、ＲＯＭ（Read Only Memory）やＲＡＭ（Random Access Memory）などを備え、ＣＰＵ１１によって用いられるプログラム等を記憶している。記憶部１３は、ハードディスクなどを備え、ＣＰＵ１１によって用いられるプログラムを記憶している。操作部１４は、キーボードとマウスなどを備え、操作者の操作に応じた信号をＣＰＵ１１に供給する。表示部１５は、液晶ディスプレイなどを備え、ＣＰＵ１１によって供給されたデータに応じた画像を表示する。
【０００８】
リーダライタ装置１６は、表示装置３０が置かれる載置面を有し、この載置面上に置かれた表示装置３０に対して電力を供給するとともにデータの読み書きを行う電力供給装置である。このリーダライタ装置１６には、導線が巻き回されたコイル形状のアンテナ部６１が設けられている。このアンテナ部６１は、ＣＰＵ１１の制御の下、電磁誘導によって電力を供給するとともに無線通信を行う。電源部１７は、図示せぬ商用電源に接続されており、リーダライタ装置１６を含む管理装置１０の各部に電力を供給する。また、上述した記憶部１３には、棚卸しの対象となる資産が列挙された棚卸リストを表す棚卸リスト情報Ｄが記憶されている。なお、ここでは、記憶部１３に１つの棚卸リスト情報Ｄのみが記憶されている場合を挙げて説明するが、複数の棚卸リスト情報が記憶されていてもよい。
【０００９】
図３は、記憶部１３に記憶されている棚卸リスト情報Ｄの一例を示す図である。同図に示すように、この棚卸リスト情報Ｄには、「管理番号」と「資産名」と「チェック欄」とが対応付けられている。「管理番号」は、各資産を管理するための番号であり、「資産名」は、その資産の名前である。「チェック欄」は、各資産の所在が確認済であることを表すチェック記号が入力される領域である。この棚卸リスト情報Ｄでは、「ＰＣ１」、「ＰＣ２」、「プリンタ」、「机」という資産が棚卸しの対象として列挙されている。
【００１０】
（タグ読取装置）
図４は、図１に示したタグ読取装置２０の構成を示す図である。このタグ読取装置２０は、棚卸の対象となる各資産に付けられた記録媒体としてのＲＦタグからデータを読み取る読取装置である。図に示すように、タグ読取装置２０は、ＣＰＵ２１と、メモリ２２と、アンテナ部２３と、電源部２４とを備えている。ＣＰＵ２１は、メモリ２２に記憶されているプログラムに従ってタグ読取装置２０全体を制御する。メモリ２２は、例えばＲＯＭやＲＡＭなどを備え、ＣＰＵ２１によって用いられるプログラムを記憶している。アンテナ部２３は、導線が巻き回されたコイル形状の通信手段であり、ＣＰＵ２１の制御の下、電磁誘導によって電力を供給するとともに無線通信を行う。例えば、資産に付けられたＲＦタグとこのアンテナ部２３とが近づけられた場合には、アンテナ部２３が、情報を記録した記録媒体であるＲＦタグからその情報を読み取る読取手段として機能することになる。また、表示装置３０とアンテナ部２３とが近づけられた場合には、アンテナ部２３が、表示装置３０に電力を供給するとともに、表示装置３０と通信を行う第１の通信手段として機能することになる。電源部２４は、例えば充電可能な電池であり、タグ読取装置２０の各部に電力を供給する。
【００１１】
（表示装置の構成）
図５は、図１に示した表示装置３０の構成を示す平面図である。同図に示すように、表示装置３０は、記憶性表示パネル３１と、回路基板３２と、アンテナ部３３と、メモリ３４とを備えている。記憶性表示パネル３１は、コレステリック液晶や電気泳動などを利用した表示手段であり、供給されたデータに応じた画像を表示する。この記憶性表示パネル３１は、コレステリック液晶や電気泳動などの複数の表示素子を備えている。これらの表示素子が回路基板３２から供給されるデータに応じて駆動されることで、記憶性表示パネル３１に画像が表示される。この記憶性表示パネル３１においては、表示素子が駆動されて画像を表示するまでの駆動期間においては電力が必要であるが、その駆動期間が経過して画像が表示された後は、電力が用いられなくてもその画像を表示し続けることができる。これを表示の記憶性という。この記憶性表示パネル３１と回路基板３２とは、複数の導線が束ねられたパネル接続部材３５によって接続されている。これにより、回路基板３２から記憶性表示パネル３１にデータ及び電力が供給されるようになっている。
【００１２】
回路基板３２には、ＣＰＵ３６と、電源回路３７とが設けられている。ＣＰＵ３６は、メモリ３４に記憶されているプログラムに従って各種の処理を行う。例えば、ＣＰＵ３６は、記憶性表示パネル３１の表示素子を駆動して画像を表示させる表示制御手段としての機能や、他の表示装置３０のメモリ３４に記憶されている情報をアンテナ部３３に読み取らせる読取制御手段としての機能を担う。電源回路３７は、アンテナ部３３に供給された電力の電圧を変圧して、ＣＰＵ３６や記憶性表示パネル３１などに供給する。
【００１３】
アンテナ部３３は、導線が巻き回されたコイル形状の通信手段であり、ＣＰＵ３６の制御の下、電磁誘導による電力の供給を受けるとともに無線通信を行う。メモリ３４は、ＣＰＵ３６によって用いられるプログラムや、各々の表示装置３０に割り当てられた装置ＩＤなどを記憶する記憶手段である。ここでは、表示装置３０Ａのメモリ３４には、表示装置３０Ａに割り当てられた「ｄｉｓＡ」という装置ＩＤが記憶されており、表示装置３０Ｂのメモリ３４には表示装置３０Ｂに割り当てられた「ｄｉｓＢ」という装置ＩＤが、表示装置３０Ｃのメモリ３４には表示装置３０Ｃに割り当てられた「ｄｉｓＣ」という装置ＩＤが記憶されているものとする。また、棚卸リスト情報の集計を行う表示装置３０のメモリ３４には、さらに集計テーブルが記憶されている。ここでは、表示装置３０Ａが棚卸リスト情報の集計を行う装置として予め指定されており、この表示装置３０Ａのメモリ３４に集計テーブルが記憶されているものとする。
【００１４】
図６は、表示装置３０Ａのメモリ３４に記憶されている集計テーブルＴの一例を示す図である。同図に示すように、この集計管理テーブルＴには、「集計方法」と「表示先の装置ＩＤ」とが対応付けられている。「集計方法」は、棚卸リスト情報の集計を行うときの集計方法を表す情報である。例えば、図中の「結合」は、複数の棚卸リスト情報をつなぎ合わせる集計方法を表す情報である。また、図中の「未チェック選択」は、複数の棚卸リスト情報のうち、チェック記号が入力されていないレコードのみを抽出する集計方法を表す情報である。また、「チェック済選択」は、複数の棚卸リスト情報のうち、チェック記号が入力されたレコードのみを抽出する集計方法を表す情報である。「表示先の装置ＩＤ」は、対応する集計方法によって集計された集計データの表示先となる表示装置３０を識別する装置ＩＤである。集計テーブルＴの「集計方法」は、情報を加工する加工方法の1つであるから、表示装置３０Ａのメモリ３４は、情報を加工する加工方法と、その加工方法によって加工された加工データの表示先となる表示装置を識別する識別情報である装置ＩＤとを対応付けて記憶する加工方法情報記憶手段である。
【００１５】
［動作］
次に、棚卸システム１の動作を説明する。ここでは、棚卸の対象となる各資産には、その資産を管理するための管理番号を記憶するＲＦタグが予め貼り付けられているものとする。
（棚卸処理）
まず、図７に示したシーケンス図を参照して、棚卸処理について説明する。作業者Ａ、Ｂ、Ｃは順に、自分が使用する表示装置３０をリーダライタ装置１６の載置面上に置いてから、管理装置１０の操作部１４を操作して棚卸リスト情報Ｄの送信を指示する。管理装置１０のＣＰＵ１１は、この指示に従って、記憶部１３から棚卸リスト情報Ｄを読み出し、リーダライタ装置１６のアンテナ部６１に供給する。ＣＰＵ１１から棚卸リスト情報Ｄが供給されると、リーダライタ装置１６のアンテナ部６１は、電磁誘導の作用を利用して、この棚卸リスト情報Ｄを送信する（ステップＳＡ１０）。この例では、図３に示した棚卸リスト情報Ｄがアンテナ部６１から送信される。
【００１６】
作業者によってリーダライタ装置１６の載置面上に置かれると、表示装置３０のアンテナ部３３がリーダライタ装置１６のアンテナ部６１から発生される磁界の中に入るため、この表示装置３０のアンテナ部３３には、共振作用によって電力が発生する。アンテナ部３３に発生した電力は、表示装置３０のメモリ３４や電源回路３７などに供給され、さらに電源回路３７によってＣＰＵ３６や記憶性表示パネル３１などに供給される。表示装置３０のＣＰＵ３６、メモリ３４及び記憶性表示パネル３１は、アンテナ部３３に供給された電力を用いて次の処理を行う。
【００１７】
リーダライタ装置１６の載置面上に置かれた表示装置３０のアンテナ部３３は、リーダライタ装置１６のアンテナ部６１から送信されてきた棚卸リスト情報Ｄを受信し（ステップＳＡ２０）、受信した棚卸リスト情報ＤをＣＰＵ３６に供給する。アンテナ部３３から棚卸リスト情報Ｄが供給されると、表示装置３０のＣＰＵ３６は、その棚卸リスト情報Ｄをメモリ３４に記憶させる（ステップＳＡ３０）。この例では、図３に示した棚卸リスト情報Ｄがメモリ３４に記憶される。続いて、この表示装置３０のＣＰＵ３６は、アンテナ部３３に供給された電力を用いて記憶性表示パネル３１の表示素子を駆動し、メモリ３４に記憶されている棚卸リスト情報Ｄに応じた画像を表示させる（ステップＳＡ４０）。これにより、表示装置３０Ａ〜３０Ｃの各記憶性表示パネル３１には、それぞれ図３に示した棚卸リスト情報Ｄが表示される。
【００１８】
自分の使用する表示装置３０に棚卸リスト情報Ｄが表示されると、作業者Ａ〜Ｃは、その表示装置３０をリーダライタ装置１６から持ち上げる。そして、作業者Ａ〜Ｃは、自分が使用する表示装置３０とタグ読取装置２０とを持って、棚卸の対象となる資産が管理されている場所へと移動する。このように、作業者によって表示装置３０がリーダライタ装置１６から持ち上げられると、表示装置３０のアンテナ部３３がリーダライタ装置１６のアンテナ部６１から発生される磁界の外に出てしまうため、その磁界の中にいたときの共振作用が働かなくなる。しかしながら、上述したように、表示装置３０Ａ〜３０Ｃとタグ読取装置２０Ａ〜２０Ｃとはそれぞれ同一の作業者によっていっしょに保持されるため、表示装置３０のアンテナ部３３は、今後はタグ読取装置２０のアンテナ部２３から発生される磁界の中に入る。これにより、表示装置３０のアンテナ部３３には、タグ読取装置２０のアンテナ部２３から発生される磁界の共振作用によって、再び電力が発生する。そして、表示装置３０のアンテナ部３３に発生した電力は、上述と同様にして、表示装置３０の各部に供給される。
【００１９】
また、上述したように、表示装置３０の記憶性表示パネル３１は、表示の記憶性を有している。したがって、作業者によってリーダライタ装置１６から持ち上げられても、記憶性表示パネル３１に表示された棚卸リスト情報Ｄを表す画像は消えることなく、表示され続ける。作業者Ａ〜Ｃは、棚卸の対象となる資産が管理されている場所に移動すると、自分が使用する表示装置３０に表示されている棚卸リスト情報Ｄを見ながら、棚卸作業を開始する。
【００２０】
このとき、タグ読取装置２０のＣＰＵ２１は、まずアンテナ部２３がＲＦタグから管理番号を読み取ったか否かを判定し（ステップＳＡ５０）、管理番号を読み取っていない場合には（ステップＳＡ５０：ＮＯ）、アンテナ部２３が管理番号を読み取るまで待機する。一方、作業者によってタグ読取装置２０がＲＦタグに近づけられて、そのアンテナ部２３から発生される磁界の中にＲＦタグが入ると、タグ読取装置２０のアンテナ部２３は、管理番号を記憶したＲＦタグからこの管理番号を読み取る。この場合、このタグ読取装置２０のＣＰＵ２１は、ＲＦタグから管理番号を読み取ったと判定する（ステップＳＡ５０：ＹＥＳ）。続いて、ＣＰＵ２１は、アンテナ部２３によって読み取られた管理番号をアンテナ部２３によって表示装置３０に送信させる送信制御を行う（つまり、ＣＰＵ２１は第１の送信制御手段に相当する）。アンテナ部２３は、この送信制御に従って、読み取った管理番号を送信する（ステップＳＡ６０）。なお、この管理番号の送信は、タグ読取装置２０のアンテナ部２３によって新たな管理番号が読み取られる度に行われる。
【００２１】
例えば、作業者Ａが「ＰＣ２」という資産に付けられたＲＦタグにタグ読取装置２０Ａを近づけた場合を想定する。この場合、上述したステップＳＡ５０において、タグ読取装置２０Ａのアンテナ部２３は、そのＲＦタグに記憶されている「００２」という管理番号を読み取る。続いて、ステップＳＡ６０において、タグ読取装置２０Ａのアンテナ部２３は、読み取った「００２」という管理番号を送信する。
【００２２】
このとき、表示装置３０のＣＰＵ３６及び記憶性表示パネル３１は、アンテナ部３３に供給された電力を用いて次の処理を行う。まず、表示装置３０のＣＰＵ３６は、タグ読取装置２０から送信された管理番号をアンテナ部３３が受信したか否かを判定する（ステップＳＡ７０）。管理番号を受信していない場合（ステップＳＡ７０：ＮＯ）、ＣＰＵ３６は、アンテナ部３３が管理番号を受信するまで待機する。一方、タグ読取装置２０のアンテナ部２３から管理番号が送信されてくると、そのアンテナ部２３から発生される磁界の中に入っている表示装置３０のアンテナ部３３はこの管理番号を受信し、受信した管理番号をＣＰＵ３６に供給する。その場合、この表示装置３０のＣＰＵ３６は、管理番号を受信したと判定し（ステップＳＡ７０：ＹＥＳ）、次の処理に進む。
【００２３】
続いて、この表示装置３０のＣＰＵ３６は、メモリ３４に記憶されている棚卸リスト情報Ｄにおいて、アンテナ部３３から供給された管理番号と対応するチェック欄にチェック記号を書き込む（ステップＳＡ８０）。すなわち、このＣＰＵ３６は、タグ読取装置２０のアンテナ部２３から送信されてくる管理番号がアンテナ部３３によって受信されると、アンテナ部３３に供給された電力を用いて、受信された管理番号に応じたチェック記号をメモリ３４に記憶させる。これにより、メモリ３４には、アンテナ部３３によって受信された管理番号に応じたチェック記号が記憶される。
【００２４】
例えば、上述したように、タグ読取装置２０Ａのアンテナ部２３から「００２」という管理番号が送信された場合、表示装置３０Ａのアンテナ部３３は、この管理番号を受信する。その場合、上述したステップＳＡ７０において、表示装置３０ＡのＣＰＵ３６は、管理番号を受信したと判定する。そして、上述したステップＳＡ８０において、表示装置３０ＡのＣＰＵ３６は、メモリ３４に記憶されている棚卸リスト情報Ｄにおいて、アンテナ部３３から供給された「００２」という管理番号と対応するチェック欄にチェック記号を書き込む。このようにしてチェック記号を書き込んだ後、表示装置３０のＣＰＵ３６は、再びステップＳＡ４０の処理に戻り、チェック記号が書き込まれて更新された棚卸リスト情報Ｄに応じた画像を記憶性表示パネル３１に表示させる。
【００２５】
図８（ａ）は、このときに表示装置３０Ａの記憶性表示パネル３１に表示される棚卸リスト情報ＤＡを示す図である。同図に示すように、この棚卸リスト情報ＤＡには、「００２」という管理番号と対応するチェック欄に「○」というチェック記号が記されている。作業者Ａは、この棚卸リスト情報ＤＡを見ることによって、「ＰＣ２」という資産の所在の確認済であることを把握することができる。
【００２６】
また、例えば、作業者Ｂが「プリンタ」という資産に付けられたＲＦタグにタグ読取装置２０Ｂを近づけた場合も、上述と同様の処理が行われる。
図８（ｂ）は、このときに表示装置３０Ｂに表示される棚卸リスト情報ＤＢを示す図である。「プリンタ」という資産に付けられたＲＦタグには、「００３」という管理番号が記憶されているため、この棚卸リスト情報ＤＢには、「００３」という管理番号に対応するチェック欄に「○」というチェック記号が記されている。作業者Ｂは、この棚卸リスト情報ＤＢを見ることによって、「プリンタ」という資産の所在の確認済であることを把握することができる。
【００２７】
さらに、例えば、作業者Ｃが「机」という資産に付けられたＲＦタグにタグ読取装置２０Ｃを近づけた場合も、上述と同様の処理が行われる。
図８（ｃ）は、このときに表示装置３０Ｃの記憶性表示パネル３１に表示される棚卸リスト情報ＤＣを示す図である。「机」という資産に付けられたＲＦタグには、「００４」という管理番号が記憶されているため、この棚卸リスト情報ＤＣには、「００４」という管理番号に対応するチェック欄に「○」というチェック記号が記されている。作業者Ｃは、この棚卸リスト情報ＤＣを見ることによって、「机」という資産の所在の確認済であることを把握することができる。
【００２８】
このように、この棚卸処理では、タグ読取装置２０に読み取られた管理番号に基づいて、チェック記号が自動的に書き込まれていく。そのため、作業者は、棚卸リスト情報を参照することにより、管理対象となる資産のうちどの資産の所在の確認が済んだか、あるいはどの資産の所在の確認が済んでいないかを正確に把握することができる。また、作業者が印刷された棚卸リストにチェック記号を手で書き込むような場合には、資産の所在を確認したにも関わらずチェック記号が記載されていないチェック抜けが発生する恐れがあったが、この棚卸処理ではチェック抜けが起きる心配もない。
【００２９】
（集計処理）
次に、図９に示すシーケンス図を参照して、表示装置３０Ａ〜３０Ｃの各メモリ３４に記憶されている棚卸リスト情報を集計する集計処理について説明する。棚卸リスト情報の集計を行いたい場合、作業者Ａ〜Ｃは、自分が使用した表示装置３０をリーダライタ装置１６の載置面上に互いに重なった状態になるように置く。
【００３０】
図１０は、表示装置３０Ａ〜３０Ｃがリーダライタ装置１６の載置面上に重ねて置かれた様子を示す側面図である。同図に示すように、表示装置３０Ａ〜３０Ｃは、各アンテナ部３３の間が共振しないように各アンテナ部３３の一部のみが重なるように、積み重ねられる。これにより、表示装置３０Ａ〜３０Ｃの各アンテナ部３３がリーダライタ装置１６のアンテナ部６１から発生される磁界の中に入るため、この表示装置３０Ａ〜３０Ｃの各アンテナ部３３には、共振作用によって電力が発生する。すなわち、リーダライタ装置１６のアンテナ部６１は、載置面上に複数の表示装置３０が置かれた状態で、各々の表示装置３０に電力を供給し、各々の表示装置３０のアンテナ部３３は、リーダライタ装置１６のアンテナ部３３から電力の供給を受けることになる。表示装置３０Ａ〜３０Ｃの各アンテナ部３３に発生した電力は、上述と同様にして、表示装置３０Ａ〜３０Ｃの各部に供給される。表示装置３０Ａ〜３０Ｃの各ＣＰＵ３６、メモリ３４及び記憶性表示パネル３１は、アンテナ部３３に供給された電力を用いて次の処理を行う。
【００３１】
電力が供給されると、棚卸リスト情報の集計を行う表示装置３０ＡのＣＰＵ３６は、他の表示装置３０Ｂ、３０Ｃのアンテナ部３３と自装置のアンテナ部３３とが重ねられた状態で、他の表示装置３０Ｂ、３０Ｃのメモリ３４に記憶されている装置ＩＤをアンテナ部３３に読み取らせる制御を行う。表示装置３０Ａのアンテナ部３３は、この制御に従って、表示装置３０Ｂ、３０Ｃの各メモリ３４に記憶されている装置ＩＤを読み取る（ステップＳＢ１０）。このとき、表示装置３０Ａのアンテナ部３３は、装置ＩＤを要求するＩＤ要求コマンドを送信する。表示装置３０Ｂ、３０Ｃの各アンテナ部３３は、表示装置３０Ａのアンテナ部３３から送信されてきたＩＤ要求コマンドを受信すると、各メモリ３４に記憶されている装置ＩＤを返信する。この例では、表示装置３０Ｂのアンテナ部３３から「ｄｉｓＢ」という装置ＩＤが返信され、表示装置３０Ｃのアンテナ部３３から、「ｄｉｓＣ」という装置ＩＤが返信される。表示装置３０Ａのアンテナ部３３は、表示装置３０Ｂ、３０Ｃの各アンテナ部３３から返信された装置ＩＤを受信する。この例では、「ｄｉｓＢ」という装置ＩＤと「ｄｉｓＣ」という装置ＩＤとが受信される。
【００３２】
続いて、表示装置３０ＡのＣＰＵ３６は、他の表示装置３０Ｂ、３０Ｃのアンテナ部３３と自装置のアンテナ部３３とが重ねられた状態で、他の表示装置３０Ｂ、Ｃのメモリ３４に記憶されている棚卸リスト情報をアンテナ部３３に読み取らせる読取制御を行う。表示装置３０Ａのアンテナ部３３は、この読取制御に従って、装置ＩＤを返信した表示装置３０Ｂ、３０Ｃの各メモリ３４に記憶されている棚卸リスト情報を読み取る（ステップＳＢ２０）。このとき、表示装置３０Ａのアンテナ部３３は、棚卸リスト情報を要求する棚卸リスト要求コマンドを送信する。表示装置３０Ｂ、３０Ｃの各アンテナ部３３は、表示装置３０Ａのアンテナ部３３から送信されてきた棚卸リスト要求コマンドを受信すると、各メモリ３４に記憶されている棚卸リスト情報を返信する。このとき、棚卸リスト情報は、所定のデータ形式に従って返信される。
【００３３】
図１１は、棚卸リスト要求コマンドに応じて返信される棚卸リスト情報のデータ形式Ｆの一例を示す図である。このデータ形式Ｆでは、「棚卸リスト情報」の前に「装置ＩＤ」が付加されるようになっている。この例では、表示装置３０Ｂのアンテナ部３３から、「ｄｉｓＢ」という装置ＩＤが付加された棚卸リスト情報ＤＢが返信される。同様にして、表示装置３０Ｃのアンテナ部３３から、「ｄｉｓＣ」という装置ＩＤが付加された棚卸リスト情報ＤＣが返信される。そして、表示装置３０Ａのアンテナ部３３は、表示装置３０Ｂ、３０Ｃの各アンテナ部３３から返信された棚卸リスト情報ＤＢ、ＤＣを受信し、受信した棚卸リスト情報ＤＢ、ＤＣをＣＰＵ３６に供給する。
【００３４】
棚卸リスト情報が供給されると、表示装置３０ＡのＣＰＵ３６は、メモリ３４に記憶されている集計テーブルＴを参照して、アンテナ部３３によって読み取られた棚卸リスト情報ＤＢ、ＤＣと、メモリ３４に記憶されている棚卸リスト情報ＤＡとを集計し、その集計結果を集計データとして生成し、メモリ３４に記憶させる（ステップＳＢ３０）。すなわち、表示装置３０ＡのＣＰＵ３６は、アンテナ部３３に供給された電力を用いて、ステップＳＢ２０において読み取られた情報と記憶手段であるメモリ３４に記憶されている情報とを集計し、その集計結果である加工データを集計データとして生成し、メモリ３４に記憶させる加工データ生成手段として機能する。図６に示した集計テーブルＴには、「結合」、「未チェック選択」、「チェック済選択」の３種類の集計方法が記述されている。この場合、表示装置３０ＡのＣＰＵ３６は、アンテナ部３３に供給された電力を用いて、アンテナ部３３によって読み取られた棚卸リスト情報ＤＢ、ＤＣと、メモリ３４に記憶されている棚卸リスト情報ＤＡとを、この集計テーブルＴに記述されている３種類の集計方法で順に集計した集計データを生成する。
【００３５】
図１２は、集計テーブルＴに従って生成される集計データＲＡ〜ＲＣを示す図である。集計データＲＡは、「結合」による集計結果を表す集計データである。すなわち、集計データＲＡは、図８（ａ）〜（ｃ）に示した棚卸リスト情報ＤＡ〜ＤＣが結合されたものである。また、集計データＲＢは、「未チェック選択」による集計結果を表す集計データである。すなわち、集計データＲＢは、図８（ａ）〜（ｃ）に示した棚卸リスト情報ＤＡ〜ＤＣからチェック記号が入力されていないレコード、すなわち「ＰＣ１」を含むレコードのみが抽出されたものである。また、集計データＲＣは、「チェック済選択」による集計結果を表す集計データである。すなわち、集計データＲＣは、図８（ａ）〜（ｃ）に示した棚卸リスト情報ＤＡ〜ＤＣからチェック記号が入力されたレコード、すなわち「ＰＣ２」、「プリンタ」、「机」を含むレコードのみが抽出されたものである。
【００３６】
続いて、表示装置３０ＡのＣＰＵ３６は、メモリ３４に記憶されている集計テーブルＴを参照して、生成した集計データを分配する（ステップＳＢ４０）。この場合、表示装置３０ＡのＣＰＵ３６は、まず図６に示した集計テーブルＴにおいて、自装置の装置ＩＤに対応付けられた集計方法による集計データ、すなわち「結合」の集計データＲＡをメモリ３４に記憶させる。続いて、表示装置３０ＡのＣＰＵ３６は、他の表示装置３０Ｂ、Ｃのアンテナ部３３と自装置のアンテナ部３３とが重ねられた状態で、ステップＳＢ３０において生成された集計データを、集計テーブルＴにおいてその集計データの集計方法と対応付けて記述されている装置ＩＤによって識別される他の表示装置３０に対して、アンテナ部３３から送信させる送信制御を行う。具体的に説明すると、表示装置３０ＡのＣＰＵ３６は、図６に示した集計テーブルＴにおいて、自装置以外の表示装置３０の装置ＩＤに対応付けられた集計方法による集計データ、すなわち「未チェック選択」の集計データＲＢ及び「チェック済選択」の集計データＲＣをアンテナ部３３に供給する。そして、表示装置３０ＡのＣＰＵ３６は、この集計テーブルＴにおいて、未チェック選択」と対応付けられた「ｄｉｓＢ」という装置ＩＤが割り当てられた表示装置３０Ｂに集計データＲＢを送信するようアンテナ部３３に指示する。同様にして、表示装置３０ＡのＣＰＵ３６は、集計テーブルＴにおいて、「チェック済選択」と対応付けられた「ｄｉｓＣ」という装置ＩＤが割り当てられた表示装置３０Ｃに集計データＲＣを送信するようアンテナ部３３に指示する。表示装置３０Ａのアンテナ部３３は、この指示に従って、集計データＲＢを表示装置３０Ｂに送信するとともに、集計データＲＣを表示装置３０Ｃに送信する。このように、表示装置３０Ａのアンテナ部３３から特定の表示装置３０のアンテナ部３３へのデータ送信は、アンリコリジョン機能などを用いて実現することができる。
【００３７】
表示装置３０Ｂ、３０Ｃの各アンテナ部３３は、表示装置３０Ａのアンテナ部３３から送信されてきた集計データを受信し（ステップＳＢ５０）、受信した集計データをＣＰＵ３６に供給する。この例では、表示装置３０Ｂのアンテナ部３３は、図１２に示した集計データＲＢを受信し、表示装置３０Ｃのアンテナ部３３は、図１２に示した集計データＲＣを受信する。続いて、表示装置３０ＡのＣＰＵ３６は、アンテナ部３３に供給された電力を用いて記憶性表示パネル３１の表示素子を駆動し、メモリ３４に記憶されている集計データＲＡに応じた画像を表示させる（ステップＳＢ６０）。これとともに、表示装置３０Ｂ、３０Ｃの各ＣＰＵ３６は、自装置のアンテナ部３３に供給された電力を用いて記憶性表示パネル３１の表示素子を駆動し、そのアンテナ部３３から供給された集計データＲＢ、ＲＣに応じた画像を表示させる（ステップＳＢ７０）。
【００３８】
これにより、表示装置３０Ａの記憶性表示パネル３１には、図１２に示した集計データＲＡが表示される。また、表示装置３０Ｂの記憶性表示パネル３１には、図１２に示した集計データＲＢが表示され、表示装置３０Ｃの記憶性表示パネル３１には、図１２に示した集計データＲＣが表示される。作業者は、表示装置３０Ａに表示された集計データＲＡを見ることにより、作業者Ａ〜Ｃによって分担して行われた棚卸作業の全体の状況を把握することができる。また、作業者は、表示装置３０Ｂに表示された集計データＲＢを見ることにより、いずれの作業者にも所在が確認されていない資産を把握することができる。さらに、作業者は、表示装置３０Ｃに表示された集計データＲＣを見ることにより、いずれかの作業者によって所在が確認された資産を確認することができる。
【００３９】
以上説明した実施形態によれば、タグ読取装置２０Ａ〜２０Ｃによって読み取られた管理番号に基づいて更新された各棚卸リスト情報を集計して、表示することができる。また、上述した実施形態によれば、表示装置３０には、リーダライタ装置１６又はタグ読取装置２０から電磁誘導で電力の授与が行われる。そのため、表示装置３０にバッテリーや電池などの電源を備える必要がなく、その分だけ表示装置３０を軽量に構成することができる。
【００４０】
［変形例］
以上が実施形態の説明であるが、この実施形態の内容は以下のように変形し得る。また、以下の変形例を適宜組み合わせてもよい。
（変形例１）
上述した実施形態において、表示装置３０Ａには、１つのアンテナ部３３のみが設けられており、このアンテナ部３３が、リーダライタ装置１６又はタグ読取装置２０からデータを受信する役割と、他の表示装置３０にデータを送信する役割との両方を担っていた。これに対し、表示装置３０Ａに、データを受信する役割を担うアンテナ部と、データを送信する役割を担うアンテナ部とを別々に設けてもよい。
また、上述した実施形態において、表示装置３０には、１つのアンテナ部３３のみが設けられていたが、ランダムに配置された複数のアンテナ部３３が設けられていてもよい。この構成によれば、表示装置３０Ａ〜３０Ｃがリーダライタ装置１６の載置面上に重ねて置かれたときに、たとえ表示装置３０Ａ〜３０Ｃに設けられた一部のアンテナ部３３の間で共振が起こったとしても、その他のアンテナ部３３によって通信を行うことができる。
また、上述した実施形態において、表示装置３０のアンテナ部３３の位置を、各々の表示装置３０の間でずらしてもよい。これにより、表示装置３０Ａ〜３０Ｃがリーダライタ装置１６の載置面上にぴったりとそろえて重ねられても、各アンテナ部３３の間で共振が起こらない。
【００４１】
（変形例２）
上述した実施形態では、棚卸リスト情報の集計方法として「結合」、「未チェック選択」、「チェック済選択」という３つの集計方法を挙げて説明したが、集計方法はこれに限らない。例えば、資産名が同一のレコードを結合し、それらのレコードに含まれるチェック記号の数を計算して記述してもよい。また、棚卸リスト情報に資産を管理する期限が記載されている場合には、その期限が過ぎている資産のレコードのみを抽出してもよい。
また、上述した実施形態では、棚卸リスト情報を集計した場合を挙げて説明したが、これに限らない。要するに、表示装置３０のＣＰＵ３６は、タグ読取装置２０によって読み取られた情報と、メモリ３４に記憶されている情報とを加工すればよい。この場合、表示装置３０のメモリ３４には、情報を加工する加工方法と、その加工方法によって加工された加工データの表示先となる表示装置３０を識別する識別情報とが対応付けて記憶されているとよい。
【００４２】
（変形例３）
上述した実施形態では、本発明の表示システムを棚卸システム１に適用した例を挙げて説明したが、これに限らない。例えば、本発明の表示システムを、展示会などで展示されている商品に付けられたＲＦタグから商品ＩＤなどを読み取って、集計するシステムに適用してもよい。この場合、表示装置３０には、例えば展示会場の地図や読み取られた商品ＩＤなどが表示される。そして、来場者は、表示装置３０とタグ読取装置２０とを持ちながら、展示会を見て周り、興味のある商品があればその商品のＲＦタグに記憶されている商品ＩＤをタグ読取装置２０に読み取らせていく。そして、来場者は、展示会場から退場するときに、その出口に設けられたリーダライタ装置１６の載置面上に表示装置３０を置く。集計を行う表示装置３０は、各々の来場者によって重ねて置かれた他の表示装置３０から商品ＩＤなどを読み取り、例えば来場者が一番興味を持った商品を表す集計データを生成し、表示する。この構成によれば、展示会に展示されている商品などのマーケティングを行うことができる。
【００４３】
（変形例４）
上述した集計テーブルは、作業者の操作に従って書き換えられてもよい。集計テーブルの書き換えを行う場合、作業者は、まず表示装置３０Ａをリーダライタ装置１６の載置面上に置く。続いて、作業者は、管理装置１０の操作部１４を操作して、集計テーブルの書き換えを指示する。管理装置１０のＣＰＵ１１は、この操作に応じて、リーダライタ装置１６のアンテナ部６１によって集計テーブルを書き換える。これにより、作業者は、集計テーブルの「集計方法」や集計データの「表示先の装置ＩＤ」を追加、変更することができる。
【００４４】
（変形例５）
上述した実施形態では、表示装置３０Ａが棚卸リスト情報の集計を行っていたが、他の表示装置３０が棚卸リスト情報の集計を行ってもよい。また、管理装置１０のＣＰＵ１１が、表示装置３０のＣＰＵ３６に代わって、図９に示した集計処理を行ってもよい。この場合、管理装置１０のメモリ１２には、集計テーブルが記憶される。そして、管理装置１０のＣＰＵ１１は、この集計テーブルを参照して各集計データの分配を行う。この例では、ＣＰＵ１１は、集計データＲＡを表示装置３０Ａに、集計データＲＢを表示装置３０Ｂに、集計データＲＣを表示装置３０Ｃに送信するようリーダライタ装置１６のアンテナ部６１に指示する。リーダライタ装置１６のアンテナ部６１は、ＣＰＵ１１の指示に従って、各集計データを各表示装置３０に送信する。この構成によれば、表示装置３０は、他の表示装置３０にデータを送信する機能を備える必要がない。
【００４５】
（変形例６）
上述した実施形態では、タグ読取装置２０と表示装置３０とが無線で情報のやりとりを行っていたが、有線で情報をやりとりしてもよい。この場合、タグ読取装置２０と表示装置３０には、それぞれ例えばＵＳＢ（Universal Serial Bus）規格に従って通信を行う通信部が設けられる。そして、表示装置３０は、ＵＳＢバスパワーを利用してタグ読取装置２０からから電力の供給を受け、供給された電力を用いて上述した各種の処理を行う。また、この場合、管理対象となる各資産には、ＲＦタグに代えてバーコード又は２次元コードが貼り付けられていてもよい。このように、ＲＦタグに代えてバーコード又は２次元コードが用いられる場合、タグ読取装置２０は、バーコード又は２次元コードを読み取って管理番号を取得する。この場合、バーコードや２次元コードは、紙に印刷されていることで管理番号を記憶していることになるため、情報を記憶する記憶媒体としての役割を果たす。
同様にして、管理装置１０と表示装置３０とが有線で情報をやりとりしてもよい。この場合、管理装置１０にも、ＵＳＢ規格に従って通信を行う通信部が設けられる。管理装置１０と表示装置３０とが有線で情報をやりとりする場合、作業者は、棚卸リスト情報Ｄの送信を指示する前に、管理装置１０と表示装置３０とを通信ケーブルでつなぐ。そして、棚卸リスト情報Ｄの送信が完了すると、作業者は、その通信ケーブルを外してから表示装置３０を持ち歩く。
【００４６】
（変形例７）
上述した実施形態では、表示装置３０Ａに電力が供給されたことを契機として、図９に示した集計処理が開始されていたが、集計処理の開始される契機はこれに限らない。例えば、作業者による管理装置１０の操作部１４の操作に応じて、リーダライタ装置１６のアンテナ部６１から集計処理の開始が指示されたことを契機として集計処理が開始されてもよい。
【００４７】
（変形例８）
上述した実施形態では、表示装置３０のアンテナ部３３と、リーダライタ装置１６のアンテナ部６１又はタグ読取装置２０のアンテナ部２３とが電磁誘導方式で無線通信を行う場合について説明したが、これに限らない。例えば、電波方式などの他の方式で無線通信を行ってもよい。
【００４８】
（変形例９）
上述した実施形態では、タグ読取装置２０と表示装置３０とがそれぞれ３台ずつ設けられている場合を挙げて説明したが、これらが２台ずつ設けられていてもよいし、４台以上設けられていてもよい。また、１台のタグ読取装置２０を各作業者が兼用してもよい。要するに、表示装置３０が複数台設けられていればよい。
【００４９】
（変形例１０）
上述した実施形態において、表示装置３０のＣＰＵ３６、管理装置１０のＣＰＵ１１、タグ読取装置２０のＣＰＵ２１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００５０】
【図１】本実施形態に係る棚卸システムの構成を示す図である。
【図２】上記棚卸システムの管理装置の構成を示す図である。
【図３】上記管理装置に記憶されている棚卸リスト情報の一例を示す図である。
【図４】上記棚卸システムのタグ読取装置の構成を示す図である。
【図５】上記棚卸システムの表示装置の構成を示す平面図である。
【図６】集計を行う上記表示装置に記憶されている集計テーブルの一例を示す図である。
【図７】上記棚卸システムの棚卸処理を示すシーケンス図である。
【図８】上記表示装置に表示される棚卸リスト情報を示す図である。
【図９】上記棚卸システムの集計処理を示すシーケンス図である。
【図１０】上記表示装置がリーダライタ装置の上に重ねて置かれた様子を示す側面図である。
【図１１】棚卸リスト情報のデータ形式の一例を示す図である。
【図１２】上記集計テーブルに従って生成される各集計データを示す図である。
【符号の説明】
【００５１】
１…棚卸システム、１０…管理装置、１１…ＣＰＵ、１２…メモリ、１３…記憶部、１４…操作部、１５…表示部、１６…リーダライタ装置、６１…アンテナ部、１７…電源部、２０…タグ読取装置、２１…ＣＰＵ、２２…メモリ、２３…アンテナ部、２４…電源部、３０…表示装置、３１…記憶性表示パネル、３２…回路基板、３３…アンテナ部、３４…メモリ、３５…パネル接続部材、３６…ＣＰＵ、３７…電源回路。
【図１】
2009199437.tif 000003
【図２】
2009199437.tif 000004
【図３】
2009199437.tif 000005
【図４】
2009199437.tif 000006
【図５】
2009199437.tif 000007
【図６】
2009199437.tif 000008
【図７】
2009199437.tif 000009
【図８】
2009199437.tif 000010
【図９】
2009199437.tif 000011
【図１０】
2009199437.tif 000012
【図１１】
2009199437.tif 000013
【図１２】
2009199437.tif 000014